(57)【要約】【課題】アウターデッキの平板部の上面を異物が下降することを防止するとともに、通常は、突出手段が平板部より下側に収納されているので、意匠性を向上させることができる乗客コンベアを得る。【解決手段】循環移動する踏段１と、踏段１の両側に設けられ、踏段１と連動して循環移動する移動手摺２と、移動手摺２の反踏段１側に設けられ、長手方向が移動手摺２に沿うとともに短手方向が水平方向を指向した平板部４を有し、平板部４に第１の開口部４ａが形成されたアウターデッキ３と、平板部４の下側に設けられ、第１の開口部４ａを通って平板部４より上方へ突出可能な突出手段５と、平板部４の上面を下降する異物を検出する異物検出手段６とを備え、異物検出手段６が異物を検出した場合に、突出手段５が平板部４の上面より上方へ突出して、異物が突出手段５に衝突する。【選択図】図１
2010168187.tif 000002
【特許請求の範囲】
【請求項１】
循環移動する踏段と、
前記踏段の両側に設けられ、前記踏段と連動して循環移動する移動手摺と、
前記移動手摺の反踏段側に設けられ、長手方向が前記移動手摺に沿うとともに短手方向が水平方向を指向した平板部を有し、前記平板部に第１の開口部が形成されたアウターデッキと、
前記平板部の下側に設けられ、前記第１の開口部を通って前記平板部の上面より上方へ突出可能な突出手段と、
前記移動手摺に沿って前記突出手段より上方に設けられ、前記平板部の上面を下降する異物を検出する異物検出手段とを備え、
前記異物検出手段が前記異物を検出した場合に、前記突出手段が前記平板部より上方へ突出して、前記異物が前記突出手段に衝突することを特徴とする乗客コンベア。
【請求項２】
前記突出手段は、前記第１の開口部を通って前記平板部より上方へ突出可能な突出本体と、スプリングを介して前記突出本体を支持した支持体と、前記突出本体に固定された磁性体と、前記支持体に固定され、通電されることで磁界を発生し、前記磁性体を吸引することで前記スプリングが前記突出本体を上方へ向かって付勢する電磁石とを有し、
前記異物検出手段が前記異物を検出した場合には、前記電磁石への通電が遮断されて、前記電磁石による前記磁性体の吸引力が低減され、前記スプリングの付勢力によって、前記突出本体が前記第１の開口部を通って前記平板部の上面より上方に突出することを特徴とする請求項１に記載の乗客コンベア。
【請求項３】
前記突出本体は、前記移動手摺に沿って上方へ指向した第２の開口部が形成された箱形状の箱部と、この箱部の内側であって前記第２の開口部と対向した面に設けられた緩衝材とを含み、
前記突出本体が前記第１の開口部を通って前記平板部の上面より上方に突出した場合に、前記異物が前記第２の開口部を通って前記箱部に収容されることを特徴とする請求項２に記載の乗客コンベア。
【発明の詳細な説明】
【技術分野】
【０００１】
この発明は、移動手摺に沿ったアウターデッキを備えた乗客コンベアに関する。
【背景技術】
【０００２】
従来、循環移動する踏段と、この踏段の両側に取り付けられ、踏段と連動して循環移動する移動手摺と、この移動手摺の反踏段側に取り付けられ、長手方向が移動手摺に沿うとともに短手方向が水平方向を指向した平板部を有したアウターデッキと、平板部の上面に取り付けられ、平板部の上面を下降する異物と衝突する異物落下防止体とを備えたエスカレータが知られている（例えば、特許文献１参照）。
【先行技術文献】
【特許文献】
【０００３】
【特許文献１】実開昭５２−６３９０号公報
【発明の概要】
【発明が解決しようとする課題】
【０００４】
しかしながら、このものの場合、異物落下防止体は、アウターデッキの平板部の上面を異物が下降することを防止することができるものの、常にアウターデッキの平板部の上面から露出しているので、意匠性が悪いという問題点があった。
【０００５】
この発明は、上述のような問題点を解決することを課題とするものであって、その目的は、アウターデッキの平板部の上面を異物が下降することを防止するとともに、通常は、突出手段が平板部より下側に収納されているので、意匠性を向上させることができる乗客コンベアを提供するものである。
【課題を解決するための手段】
【０００６】
この発明に係る乗客コンベアは、循環移動する踏段と、前記踏段の両側に設けられ、前記踏段と連動して循環移動する移動手摺と、前記移動手摺の反踏段側に設けられ、長手方向が前記移動手摺に沿うとともに短手方向が水平方向を指向した平板部を有し、前記平板部に第１の開口部が形成されたアウターデッキと、前記平板部の下側に設けられ、前記第１の開口部を通って前記平板部の上面より上方へ突出可能な突出手段と、前記移動手摺に沿って前記突出手段より上方に設けられ、前記平板部の上面を下降する異物を検出する異物検出手段とを備え、前記異物検出手段が前記異物を検出した場合に、前記突出手段が前記平板部より上方へ突出して、前記異物が前記突出手段に衝突する。
【発明の効果】
【０００７】
この発明に係る乗客コンベアによれば、アウターデッキの平板部の上面を異物が下降することを異物検出手段が検出した場合に、突出手段が平板部の上面より上方へ突出して、異物が突出手段に衝突するので、アウターデッキの平板部の上面を異物が下降することを防止するとともに、通常は、突出手段が平板部より下側に収納されているので、意匠性を向上させることができる。
【図面の簡単な説明】
【０００８】
【図１】この発明の実施の形態１に係るエスカレータを示す側断面図である。
【図２】図１のＩＩ−ＩＩ線に沿った矢視断面図である。
【図３】図１のＡ部拡大図である。
【図４】図３の突出本体を示す斜視図である。
【発明を実施するための形態】
【０００９】
実施の形態１．
図１はこの実施の形態に係る乗客コンベアであるエスカレータを示す側断面図である。
この実施の形態に係るエスカレータは、循環移動する踏段１と、この踏段１の両側に取り付けられ、踏段１と連動して循環移動する移動手摺２と、この移動手摺２の反踏段１側、つまり、移動手摺２の、踏段１から離間した側に取り付けられたアウターデッキ３とを備えている。
アウターデッキ３は、長手方向が移動手摺２に沿うとともに短手方向が水平方向を指向した平板部４を有し、この平板部４には、第１の開口部４ａが形成されている。
【００１０】
また、このエスカレータは、平板部４の下面に取り付けられ、第１の開口部４ａを通って平板部４の上面より上方へ突出可能な突出手段５と、平板部４の上面を下降する異物を検出する異物検出手段６とを備えている。
突出手段５は、移動手摺２に沿って３箇所に間隔をおいて配置され、異物検出手段６は、移動手摺２に沿って、各突出手段５より上方に配置されている。
なお、突出手段５および異物検出手段６の数、これに限らず、その他の数であってもよい。
【００１１】
図２は図１のＩＩ−ＩＩ線に沿った矢視断面図である。
移動手摺２は、支持部材７を介して、移動手摺２に沿って延びたデッキボード８に支持されている。
デッキボード８の踏段１側であって下側には、移動手摺２に沿って延びた内側板９が取り付けられている。
内側板９の下端部には、踏段１の側面に対向したインナーデッキ１０が取り付けられている。
アウターデッキ３は、一端部が、デッキボード８の反踏段１側、つまり、デッキボード８の、踏段１から離間した側であって、下側に配置されている。
【００１２】
異物検出手段６は、デッキボード８の下側に取り付けられた光センサ１１を有しており、アウターデッキ３の反移動手摺２側、つまり、アウターデッキ３の、移動手摺２から離間した側に配置された躯体１２に取り付けられた発光手段（図示せず）から放射された光を検出する。
異物検出手段６は、アウターデッキ３の平板部４の上面に異物が下降することで、発光手段から放射された光を、光センサ１１が検出できなくなり、アウターデッキ３の平板部４の上面に異物が下降していることを検出することができる。
なお、異物検出手段６は、このものに限らず、例えば、赤外線センサ等、アウターデッキ３の平板部４の上面に異物が下降することを検出することができるものであればよい。
【００１３】
図３は図１のＡ部拡大図、図４は図３の突出本体１３を示す斜視図である。
突出手段５は、第１の開口部４ａを通って平板部４より上方へ突出可能な突出本体１３と、スプリング１４を介して突出本体１３を支持した箱形状の支持体１５と、突出本体１３の下端部に固定された磁性体１６と、支持体１５に固定された電磁石１７とを有している。
突出本体１３は、移動手摺２に沿って上方へ指向した第２の開口部１８ａが形成された箱形状の箱部１８と、この箱部１８の内側であって、第２の開口部１８ａに対向した面に取り付けられた緩衝材１９とを含んでいる。
支持体１５は、平板部４側の面が開口され、さらに、平板部４側の端部が外側へ屈曲されて、平板部４の下面に固定されている。
スプリング１４は、突出本体１３の下端部と支持体１５の底面との間に、複数個、間隔をおいて取り付けられている。
電磁石１７は、配線２０を介して通電されることで磁界を発生し、この磁界によって磁性体１６を吸引することで、スプリング１４が突出本体１３を上方へ向かって付勢する。
【００１４】
次に、この実施の形態に係るエレベータの動作について説明する。
アウターデッキ３の平板部４の上面に異物が下降していない場合には、突出手段５は、アウターデッキ３の平板部４の上面より突出していないので、従来の装置と比較して、意匠性が向上している。
アウターデッキ３の平板部４の上面に異物が下降した場合には、異物によって、光センサ１１が光を検出することができず、異物検出手段６は、アウターデッキ３の平板部４の上面に異物が下降したことを検出する。
異物検出手段６が異物を検出することで、電磁石１７への通電が遮断され、電磁石１７による磁性体１６の吸引力が低減する。
その結果、スプリング１４の付勢力によって、突出本体１３が第１の開口部４ａを通って平板部４の上面より上方に突出する。
突出本体１３が突出することで、箱部１８の第２の開口部１８ａから、異物が突出本体１３の内部に侵入し、異物が緩衝材１９に衝突して、箱部１８の中に異物が収容される。
これにより、異物がアウターデッキ３の平板部４の上面を下降することが防止され、また、突出手段５に異物が衝突して、跳ね返り、周辺の部材に衝突することが防止される。
【００１５】
以上説明したように、この実施の形態に係るエスカレータによれば、アウターデッキ３の平板部４の上面を異物が下降することを異物検出手段６が検出した場合に、突出手段５が平板部４の上面より上方へ突出して、異物が突出手段５に衝突するので、アウターデッキ３の平板部４の上面を異物が下降することを防止するとともに、通常は、突出手段５が平板部４より下側に収納されているので、意匠性を向上させることができる。
【００１６】
また、異物検出手段６が異物を検出した場合には、電磁石１７への通電が遮断されて、電磁石１７による磁性体１６の吸引力が低減され、スプリング１４の付勢力によって、突出本体１３が第１の開口部４ａを通って平板部４の上面より上方に突出するので、モータ等の動力を用いて突出本体１３を上方に突出させる場合と比較して、すばやく、突出本体１３を上方に突出させることができる。
また、停電等により、例えば、エレベータを駆動する電源とともに電磁石１７への通電が遮断された場合であっても、突出手段５が上方に突出するので、アウターデッキ３の平板部４の上面を異物が下降することを防止することができる。
【００１７】
また、箱部１８が第１の開口部４ａを通って平板部４の上面より上方に突出した場合に、異物が第２の開口部１８ａを通って箱部１８に収容されるので、アウターデッキ３の平板部４の上面を移動する異物が突出手段５に衝突して、跳ね返ることを抑制することができる。
【００１８】
なお、この実施の形態では、乗客コンベアとして、エスカレータを例に説明したが、勿論このものに限らず、動く歩道であってもよい。
【符号の説明】
【００１９】
１  踏段、２  移動手摺、３  アウターデッキ、４  平板部、４ａ  第１の開口部、５  突出手段、６  異物検出手段、７  支持部材、８  デッキボード、９  内側板、１０  インナーデッキ、１１  光センサ、１２  躯体、１３  突出本体、１４  スプリング、１５  支持体、１６  磁性体、１７  電磁石、１８  箱部、１８ａ  第２の開口部、１９  緩衝材、２０  配線。
【図１】
2010168187.tif 000003
【図２】
2010168187.tif 000004
【図３】
2010168187.tif 000005
【図４】
2010168187.tif 000006